(57)【要約】【課題】電子ＰＯＰ装置を設置する店舗側、および商品広告を行うメーカ側の双方にメリットがあり、しかも高い広告効果を得ることができる商品広告システム等を提供する。【解決手段】情報入力装置１０と、電子ＰＯＰサーバ２０と、表示部を所定の分割パターンに応じて分割した各分割表示エリアＡに、それぞれ異なる商品広告情報を表示する電子ＰＯＰ装置４０と、がネットワークＮＴを介して接続された商品広告システムＳＹである。情報入力装置１０は、商品広告情報の広告条件として、商品広告情報を表示する広告時間帯および分割表示エリアＡの大きさを入力する。電子ＰＯＰサーバ２０は、情報入力装置１０により入力された広告条件に基づいて、各分割表示エリアＡに商品広告情報を表示するためのタイムスケジュールを生成し、電子ＰＯＰ装置４０に送信する。【選択図】図１
2009229823.tif 000002
【特許請求の範囲】
【請求項１】
商品広告情報を表示する電子ＰＯＰ装置と、
前記電子ＰＯＰ装置を管理する電子ＰＯＰサーバと、
前記商品広告情報の広告条件を入力する情報入力装置と、がネットワークを介して接続された商品広告システムであって、
前記電子ＰＯＰ装置は、
前記電子ＰＯＰサーバから前記商品広告情報のタイムスケジュールを受信するタイムスケジュール受信部と、
表示部と、
前記タイムスケジュールにしたがって、前記表示部を所定の分割パターンに応じて分割した各分割表示エリアに、それぞれ異なる前記商品広告情報を表示する表示制御部と、を備え、
前記情報入力装置は、
前記広告条件として、少なくとも、前記商品広告情報を表示する広告時間帯および前記分割表示エリアの大きさを入力する広告条件入力部を備え、
前記電子ＰＯＰサーバは、
前記広告条件入力部により入力された前記広告条件を取得する広告条件取得部と、
取得した前記広告条件に基づいて、前記タイムスケジュールを生成するタイムスケジュール生成部と、
生成した前記タイムスケジュールを前記電子ＰＯＰ装置に送信するタイムスケジュール送信部と、を備えたことを特徴とする商品広告システム。
【請求項２】
前記電子ＰＯＰサーバは、
前記広告条件取得部により取得した前記広告条件に基づいて、広告費を算出する広告費算出部と、
算出した広告費を前記情報入力装置に通知する広告費通知部と、
通知した前記広告費の入金を確認する入金確認部と、を備え、
前記タイムスケジュール生成部は、前記入金確認部により入金を確認した後、前記タイムスケジュールを生成することを特徴とする請求項１に記載の商品広告システム。
【請求項３】
前記電子ＰＯＰサーバは、
複数の前記電子ＰＯＰ装置と接続されており、
前記広告条件に基づいて、前記複数の電子ＰＯＰ装置の中から、前記タイムスケジュールの送信対象となる１以上の電子ＰＯＰ装置を決定する対象装置決定部をさらに備え、
前記タイムスケジュール送信部は、前記対象装置決定部により決定された前記１以上の電子ＰＯＰ装置に対して、前記タイムスケジュールを送信することを特徴とする請求項１または２に記載の商品広告システム。
【請求項４】
前記広告条件入力部は、前記広告条件として、前記商品広告情報が属する商品カテゴリをさらに入力し、
前記複数の電子ＰＯＰ装置は、設置される売場に応じて分類されていると共に、
前記対象装置決定部は、前記広告条件に含まれる前記商品カテゴリに応じて、商品広告を行うべき前記売場を特定し、当該売場に分類される１以上の電子ＰＯＰ装置を、前記タイムスケジュールの送信対象として決定することを特徴とする請求項３に記載の商品広告システム。
【請求項５】
前記電子ＰＯＰサーバは、
前記商品カテゴリごと且つ前記広告時間帯ごとに、前記分割パターンを設定する分割パターン設定部をさらに備え、
前記タイムスケジュール生成部は、設定された前記分割パターンに基づいて、前記タイムスケジュールを生成し、
前記表示制御部は、前記タイムスケジュールにしたがって、前記所定の分割パターンを変化させることを特徴とする請求項４に記載の商品広告システム。
【請求項６】
前記電子ＰＯＰサーバは、
前記複数の電子ＰＯＰ装置全ての前記タイムスケジュールを記憶するタイムスケジュール記憶部と、
前記タイムスケジュール記憶部を参照し、各電子ＰＯＰ装置において、前記商品広告情報が未登録の前記分割表示エリアおよび前記広告時間帯に関する未登録情報を前記情報入力装置に通知する未登録情報通知部と、をさらに備えたことを特徴とする請求項３ないし５のいずれか１項に記載の商品広告システム。
【請求項７】
前記電子ＰＯＰ装置は、
前記各分割表示エリアの中からいずれか１の分割表示エリアが指定されることに伴い、当該分割表示エリアに表示されている前記商品広告情報に対応する商品のクーポンを発行するクーポン発行部をさらに備え、
前記広告条件入力部は、前記広告条件として、前記クーポンの発行の要否をさらに入力し、
前記電子ＰＯＰサーバは、
前記広告条件に基づいて、前記クーポンを発行するための印刷データを生成する印刷データ生成部と、
生成した前記印刷データを、前記電子ＰＯＰ装置に送信する印刷データ送信部と、をさらに備えたことを特徴とする請求項１ないし６のいずれか１項に記載の商品広告システム。
【請求項８】
表示部を所定の分割パターンに応じて分割した各分割表示エリアに、それぞれ異なる前記商品広告情報を表示する電子ＰＯＰ装置と、
電子ＰＯＰサーバと、
情報入力装置と、がネットワークを介して接続された商品広告システムの制御方法であって、
前記情報入力装置が、前記商品広告情報の広告条件として、少なくとも、前記商品広告情報を表示する広告時間帯および前記分割表示エリアの大きさを入力するステップ、
前記電子ＰＯＰサーバが、前記情報入力装置により入力された前記広告条件に基づいて、前記各分割表示エリアに前記商品広告情報を表示するためのタイムスケジュールを生成し、前記電子ＰＯＰ装置に送信するステップ、
前記電子ＰＯＰ装置が、前記電子ＰＯＰサーバから受信した前記タイムスケジュールにしたがって、前記各分割表示エリアに前記商品広告情報を表示するステップ、を実行することを特徴とする商品広告システムの制御方法。
【請求項９】
コンピュータに、請求項８に記載の商品広告システムの制御方法における各ステップを実行させるためのプログラム。
【発明の詳細な説明】
【技術分野】
【０００１】
電子ＰＯＰ装置を用いて商品広告を行う商品広告システム、商品広告システムの制御方法およびそのプログラムに関する。
【背景技術】
【０００２】
従来、スーパーなどの店舗において、商品の近くに設置され、当該商品に関する商品広告情報を表示する電子ＰＯＰ装置が知られている（例えば、特許文献１）。一般的に、この種の電子ＰＯＰ装置は、メーカ（ブランド）が作成した幾つかの映像（静止画や動画）を、繰り返し表示する。
【特許文献１】特開２００１−６７５５１号公報
【発明の開示】
【発明が解決しようとする課題】
【０００３】
ところで、電子ＰＯＰ装置は、店舗側が購入するのではなく、メーカによって提供されることも多い。当然この場合は、１台の電子ＰＯＰ装置につき、一社のメーカの商品広告が表示されることとなり、結果的に同じ映像が繰り返し表示される。このため、顧客に飽きを感じさせ、十分な広告効果が得られないといった問題があった。
【０００４】
また、商品によっては、ある限られた時間帯に効果的な売込みを行いたいものがある。例えば、昼食前や夕食前の時間帯には、食材や惣菜など多数の商品の売り込みを行いたいが、従来の電子ＰＯＰ装置では、同時に複数メーカの異なる商品の商品広告を表示することができなかった。
【０００５】
そこで、複数台の電子ＰＯＰ装置を並べて設置することにより、複数メーカの異なる商品の商品広告を実現することも可能であるが、店舗側にとっては設置スペースの問題があり、メーカ側にとっては複数台の電子ＰＯＰ装置の提供が条件となるなど、商品広告に要するコストが嵩むといった問題がある。このように、顧客を飽きさせることなく、しかも限られた広告時間帯に多数の商品の商品広告を行うことができる商品広告システムの実現は、非常に困難であった。
【０００６】
本発明は、このような問題点に鑑み、電子ＰＯＰ装置を設置する店舗側、および商品広告を行うメーカ側の双方にメリットがあり、しかも高い広告効果を得ることができる商品広告システム、商品広告システムの制御方法およびそのプログラムを提供することを目的とする。
【課題を解決するための手段】
【０００７】
本発明の商品広告システムは、商品広告情報を表示する電子ＰＯＰ装置と、電子ＰＯＰ装置を管理する電子ＰＯＰサーバと、商品広告情報の広告条件を入力する情報入力装置と、がネットワークを介して接続された商品広告システムであって、電子ＰＯＰ装置は、電子ＰＯＰサーバから商品広告情報のタイムスケジュールを受信するタイムスケジュール受信部と、表示部と、タイムスケジュールにしたがって、表示部を所定の分割パターンに応じて分割した各分割表示エリアに、それぞれ異なる商品広告情報を表示する表示制御部と、を備え、情報入力装置は、広告条件として、少なくとも、商品広告情報を表示する広告時間帯および分割表示エリアの大きさを入力する広告条件入力部を備え、電子ＰＯＰサーバは、広告条件入力部により入力された広告条件を取得する広告条件取得部と、取得した広告条件に基づいて、タイムスケジュールを生成するタイムスケジュール生成部と、生成したタイムスケジュールを電子ＰＯＰ装置に送信するタイムスケジュール送信部と、を備えたことを特徴とする。
【０００８】
本発明の商品広告システムの制御方法は、表示部を所定の分割パターンに応じて分割した各分割表示エリアに、それぞれ異なる商品広告情報を表示する電子ＰＯＰ装置と、電子ＰＯＰサーバと、情報入力装置と、がネットワークを介して接続された商品広告システムの制御方法であって、情報入力装置が、商品広告情報の広告条件として、少なくとも、商品広告情報を表示する広告時間帯および分割表示エリアの大きさを入力するステップ、電子ＰＯＰサーバが、情報入力装置により入力された広告条件に基づいて、各分割表示エリアに商品広告情報を表示するためのタイムスケジュールを生成し、電子ＰＯＰ装置に送信するステップ、電子ＰＯＰ装置が、電子ＰＯＰサーバから受信したタイムスケジュールにしたがって、各分割表示エリアに商品広告情報を表示するステップ、を実行することを特徴とする。
【０００９】
これらの構成によれば、電子ＰＯＰ装置は、表示部を所定の分割パターンに応じて分割した複数の分割表示エリアを有しているため、同時に複数の商品広告情報を表示することができる。これにより、顧客の関心を惹き、飽きさせることがないため、高い広告効果を得ることができる。さらに、情報入力装置によって、商品広告を提供するメーカ側が、商品広告情報を表示する広告時間帯および分割表示エリアの大きさなどの広告条件を入力することにより、所望の広告時間帯、且つ所望の表示エリアサイズで、商品広告を行うことができる。これにより、簡易な構成且つ低コストで、商品広告システムを実現することができる。
【００１０】
上記に記載の商品広告システムにおいて、電子ＰＯＰサーバは、広告条件取得部により取得した広告条件に基づいて、広告費を算出する広告費算出部と、算出した広告費を情報入力装置に通知する広告費通知部と、通知した広告費の入金を確認する入金確認部と、を備え、タイムスケジュール生成部は、入金確認部により入金を確認した後、タイムスケジュールを生成することが好ましい。
【００１１】
この構成によれば、メーカ側が提示した広告条件に基づく広告費の算出からタイムスケジュールの生成、商品広告情報の表示までの一連の処理を、人の手を介さずに行い得るビジネスモデルを実現できる。
【００１２】
上記に記載の商品広告システムにおいて、電子ＰＯＰサーバは、複数の電子ＰＯＰ装置と接続されており、広告条件に基づいて、複数の電子ＰＯＰ装置の中から、タイムスケジュールの送信対象となる１以上の電子ＰＯＰ装置を決定する対象装置決定部をさらに備え、タイムスケジュール送信部は、対象装置決定部により決定された１以上の電子ＰＯＰ装置に対して、タイムスケジュールを送信することが好ましい。
【００１３】
この構成によれば、電子ＰＯＰサーバが複数の電子ＰＯＰ装置を統括管理しているため、メーカ側は、電子ＰＯＰ装置毎に別サーバにアクセスして広告条件を入力するのではなく、一括した情報入力で、複数の電子ＰＯＰ装置による商品広告を実現することができる。
【００１４】
上記に記載の商品広告システムにおいて、広告条件入力部は、広告条件として、商品広告情報が属する商品カテゴリをさらに入力し、複数の電子ＰＯＰ装置は、設置される売場に応じて分類されていると共に、対象装置決定部は、広告条件に含まれる商品カテゴリに応じて、商品広告を行うべき売場を特定し、当該売場に分類される１以上の電子ＰＯＰ装置を、タイムスケジュールの送信対象として決定することが好ましい。
【００１５】
この構成によれば、商品カテゴリを指定することにより、その商品カテゴリに応じた売場の電子ＰＯＰ装置で商品広告を実現できる。例えば、商品カテゴリ「惣菜」を指定した場合、店内の惣菜コーナーに設置された電子ＰＯＰ装置で、惣菜類の商品広告情報を表示することができる。つまり、適切な場所で商品広告を行うことができるため、高い広告効果を得ることができる。
【００１６】
上記に記載の商品広告システムにおいて、電子ＰＯＰサーバは、商品カテゴリごと且つ広告時間帯ごとに、分割パターンを設定する分割パターン設定部をさらに備え、タイムスケジュール生成部は、設定された分割パターンに基づいて、タイムスケジュールを生成し、表示制御部は、タイムスケジュールにしたがって、所定の分割パターンを変化させることが好ましい。
【００１７】
この構成によれば、メーカ側が効果的に売り込みを行いたいと考える商品カテゴリや広告時間帯については、分割数の多い分割パターンに設定することで、多くの商品広告を行うことができ、店舗側によっては広告収入の増加が期待できる。逆に、メーカ側の希望が少ないと考えられる商品カテゴリや広告時間帯については、分割数の少ない分割パターンに設定することで、商品広告情報が表示されない（未登録の）分割表示エリアの数を少なくすることができる。
【００１８】
上記に記載の商品広告システムにおいて、電子ＰＯＰサーバは、複数の電子ＰＯＰ装置全てのタイムスケジュールを記憶するタイムスケジュール記憶部と、タイムスケジュール記憶部を参照し、各電子ＰＯＰ装置において、商品広告情報が未登録の分割表示エリアおよび広告時間帯に関する未登録情報を情報入力装置に通知する未登録情報通知部と、をさらに備えたことが好ましい。
【００１９】
この構成によれば、情報入力装置は、商品広告情報が未登録の分割表示エリアおよび広告時間帯に関する未登録情報を確認できるため、未登録の分割表示エリアや広告時間帯を指定（選択）することで、効率良く広告条件を入力できる。
【００２０】
上記に記載の商品広告システムにおいて、電子ＰＯＰ装置は、各分割表示エリアの中からいずれか１の分割表示エリアが指定されることに伴い、当該分割表示エリアに表示されている商品広告情報に対応する商品のクーポンを発行するクーポン発行部をさらに備え、広告条件入力部は、広告条件として、クーポンの発行の要否をさらに入力し、電子ＰＯＰサーバは、広告条件に基づいて、クーポンを発行するための印刷データを生成する印刷データ生成部と、生成した印刷データを、電子ＰＯＰ装置に送信する印刷データ送信部と、をさらに備えたことが好ましい。
【００２１】
この構成によれば、商品広告に連動してクーポンを発行することができるため、顧客の関心を惹くことができ、より高い広告効果を得ることができる。また、クーポン発行枚数などの情報を記憶しておくことで、その商品広告情報がどの程度の反響（広告効果）があったかを知るための指標とすることができる。
【００２２】
本発明のプログラムは、コンピュータに、上記に記載の商品広告システムの制御方法における各ステップを実行させるためのものであることを特徴とする。
【００２３】
このプログラムを用いることにより、電子ＰＯＰ装置を設置する店舗側、および商品広告を行うメーカ側の双方にメリットがあり、しかも高い広告効果を得ることができる商品広告システムを実現することができる。
【発明を実施するための最良の形態】
【００２４】
以下、添付した図面を参照して、本発明の一実施形態に係る商品広告システム、商品広告システムの制御方法およびそのプログラムについて説明する。図１は、商品広告システムＳＹのシステム構成図である。同図に示すように、商品広告システムＳＹは、メーカなど商品広告を提供する者が操作する情報入力装置１０と、プロバイダなど電子ＰＯＰ装置４０に商品広告情報を配信する者が操作する電子ＰＯＰサーバ２０と、店舗内に設置された複数台の電子ＰＯＰ装置４０と、これらを統括管理する店舗サーバ３０と、を備えている。
【００２５】
情報入力装置１０、電子ＰＯＰサーバ２０および店舗サーバ３０は、インターネット等のネットワークＮＴを介して接続されている。図１では、１店舗の店舗サーバ３０のみがネットワークＮＴに接続されているが、複数店舗の店舗サーバ３０を接することも当然可能である。なお、情報入力装置１０、電子ＰＯＰサーバ２０および店舗サーバ３０としては、キーボード（１１，２１）やディスプレイ（１２，２２）を有する、一般的なパーソナルコンピュータを用いることができる。
【００２６】
情報入力装置１０は、電子ＰＯＰ装置４０で商品広告を行うための種々の広告条件（広告地域、広告店舗、広告期間、商品カテゴリ、表示サイズ、広告時間帯など）を入力する。電子ＰＯＰサーバ２０は、情報入力装置１０によって入力された広告条件に基づいて、各電子ＰＯＰ装置４０で商品広告を行うためのタイムスケジュールを生成する。店舗サーバ３０は、電子ＰＯＰサーバ２０が生成したタイムスケジュールを取得し、店舗内の各電子ＰＯＰ装置４０に提供する。各電子ＰＯＰ装置４０は、店舗サーバ３０から提供されたタイムスケジュールに基づいて、商品広告情報を表示する。
【００２７】
なお、各電子ＰＯＰ装置４０は、設置される売場に応じて分類されている。本実施形態では、「電子ＰＯＰ装置Ａ」が惣菜コーナー、「電子ＰＯＰ装置Ｂ」が生鮮食品コーナー、「電子ＰＯＰ装置Ｃ」が生活用品コーナーに設置されているものとする。また、各売場は、商品カテゴリに準じて（商品カテゴリ別に）設けられているものとする。
【００２８】
次に、図２を参照し、電子ＰＯＰ装置４０の装置構成について説明する。図２は、電子ＰＯＰ装置４０の外観斜視図である。電子ＰＯＰ装置４０は、その筐体４９前面に、商品広告情報を表示するディスプレイ４１と、ディスプレイ４１の略全域を覆うタッチパネル４２と、各種設定を行うための設定ボタン４３と、音声を出力するスピーカ４４と、クーポンＣを印刷・発行する印刷部４５と、を備えている。また、筐体４９の底部には、電子ＰＯＰ装置４０を立設するための一対の足部４８,４８が設けられている。
【００２９】
ディスプレイ４１は、有機ＥＬディスプレイ等のフラットディスプレイパネルで構成されている。ディスプレイ４１の表示領域は、所定の分割パターンに応じて分割されており、各分割表示エリアＡには、それぞれ異なる商品広告情報が表示される。同図の例では、商品広告画情報として、商品（牛乳パック等）の画像、商品名および商品の説明を表示している。なお、商品広告情報は、静止画像であっても、動画像であっても良い。また、各商品広告情報には、これら画像情報（映像情報）の他に音声情報が付加されており、これらを表示・音声出力するための情報を総称して、以下「商品広告映像ファイル」と称する。
【００３０】
タッチパネル４２は、ディスプレイ４１の表示領域の略全域を覆うマトリクススイッチで構成されている。マトリクススイッチは、マトリクス状に配置されたスイッチ群であり、指等の接触（タッチ）によってオン、オフ情報を取得する。このオン、オフ情報により、ユーザによる指等のタッチを検出する。このタッチパネル４２へのタッチによって、ユーザによる各種操作が行なわれる。例えば、分割表示エリアＡ１がタッチされると、分割表示エリアＡ１上の商品広告情報に対応するクーポンＣを発行する。
【００３１】
設定ボタン４３は、電子ＰＯＰ装置４０の各種設定を行なう設定画面を表示させるための操作子である。ユーザは、設定ボタン４３を押してディスプレイ４１上に設定画面を表示させ、タッチパネル４２を操作することで各種設定を行うことができる。
【００３２】
スピーカ４４は、上記の商品広告映像ファイルに基づいて、各商品広告情報に対応する音声情報を出力する。通常時は、６つの分割表示エリアＡ１〜Ａ６の中の予め指定されたメインエリアである分割表示エリアＡ１に表示されている商品広告情報に対応する音声情報を出力する。また、各分割表示エリアＡのうちいずれかがタッチされた場合は、音声出力を、そのタッチされた分割表示エリアＡに表示されている商品広告情報に対応する音声情報に切り替える。
【００３３】
印刷部４５は、ロール状に巻回されたレシート用紙を収容する用紙収容部、レシート用紙を搬送する用紙搬送部、レシート用紙上に印刷データを印刷する印刷ヘッドを有している（いずれも図示省略）。また、電子ＰＯＰ装置４０の前面下部に、印刷済みのレシート用紙（クーポンＣ）を排出する排出口４６を有している。当該排出口４６にはクーポンＣの切断に利用される切断歯が設けられている。顧客は、排出口４６から排出された印刷済みのレシート用紙を、切断歯を利用して切り取り、クーポンＣを取得する。なお、クーポンＣの印刷に要する印刷データを、以下「クーポン印刷ファイル」と称する。
【００３４】
次に、図３を参照し、電子ＰＯＰ装置４０の制御構成について説明する。図３は、本発明に用いる電子ＰＯＰ装置の制御ブロック図であり、電子ＰＯＰ装置４０は、上記のディスプレイ４１、タッチパネル４２、設定ボタン４３、スピーカ４４および印刷部４５の他、ＣＰＵ（Central Processing Unit）５１、ＲＯＭ（Read Only Memory）５２、ＲＡＭ（Random Access Memory）５３、通信部５４およびタイマ５５を備えている。
【００３５】
ＣＰＵ５１は、中央処理装置であり、各種演算処理を行う。ＲＯＭ５２は、ＣＰＵ５１が各種演算処理を行うための制御プログラムを記憶する。ＲＡＭ５３は、ＣＰＵ５１が各種演算処理を行うためのワークエリアとして用いられる。なお、本実施形態では、ＲＡＭ５３内、に商品広告情報のタイムスケジュール、商品広告映像ファイルおよびクーポン印刷ファイルを、それぞれ記憶するための記憶領域が設けられている（図示省略）。通信部５４は、店舗サーバ３０と無線通信を行なうためのものであり、主に、タイムスケジュール、商品広告映像ファイルおよびクーポン印刷ファイルの受信、並びに電子ＰＯＰ装置４０の動作状態（エラーおよび動作履歴を含む）の送信に用いられる。タイマ５５は、現在時刻を計時する。
【００３６】
次に、本発明の一実施形態の商品広告システムの機能ブロック図である図４を参照し、商品広告システムＳＹの機能構成について説明する。なお、店舗サーバ３０は、電子ＰＯＰサーバ２０と電子ＰＯＰ装置４０との間で通信を行うための中継機器として主に用いられるものであるため、詳細な説明を省略する。
【００３７】
同図に示すように、情報入力装置１０は、機能構成として、広告条件入力部１１０、未登録情報表示部１２０、広告費表示部１３０および入金情報入力部１４０を備えている。
【００３８】
広告条件入力部１１０は、キーボード１１（図１参照）等を用いて、商品広告情報の広告条件を入力するものである。本実施形態では、電子ＰＯＰサーバ２０が提供する入力フォーム（図７，図８参照）上に所定事項を記入・選択することで、広告条件を入力するものとする。未登録情報表示部１２０は、各電子ＰＯＰ装置４０において、商品広告情報が未登録の分割表示エリアＡおよび広告時間帯に関する未登録情報をディスプレイ１２上に表示するものである。当該表示も、電子ＰＯＰサーバ２０により提供される（図８参照）。広告費表示部１３０は、広告条件に基づいて算出された広告費をディスプレイ１２上に表示するものである。当該表示も、電子ＰＯＰサーバ２０により提供される（図９（ａ）参照）。入金情報入力部１４０は、キーボード１１等を用いて、電子ＰＯＰサーバ２０から提示された広告費に対する入金情報を入力するものである（図９（ａ）参照）。
【００３９】
続いて、電子ＰＯＰサーバ２０の機能構成を説明する。電子ＰＯＰサーバ２０は、分割パターン設定部２１０、広告条件取得部２２０、対象装置決定部２３０、未登録情報通知部２４０、広告費算出部２５０、広告費通知部２６０、入金確認部２７０、商品広告映像ファイル記憶部２８０、商品広告映像ファイル送信部２９０、タイムスケジュール生成部３１０、タイムスケジュール送信部３２０、タイムスケジュール記憶部３３０、クーポン印刷ファイル記憶部３４０およびクーポン印刷ファイル送信部３５０を備えている。
【００４０】
分割パターン設定部２１０は、キーボード２１等を用いて、商品カテゴリごと且つ広告時間帯ごとに、ディスプレイ４１上における分割パターンを設定するものである。分割パターンとしては、図２に示した６分割パターンの他、４つに均等分割された４分割パターン、８つに均等分割された８分割パターンなど、複数パターンの中から、いずれかを選択可能となっている。この場合、例えば食事前の広告時間帯における商品カテゴリ「惣菜」などは、分割数の多い分割パターンに設定することで、多くの商品広告を行うことができ、店舗側によっては広告収入の増加が期待できる。逆に、深夜帯における商品カテゴリ「生鮮食品」などは、メーカ側の希望が少ないと考えられるため、分割数の少ない分割パターンに設定することで、商品広告情報が表示されない（未登録の）分割表示エリアＡの数を少なくすることができる。
【００４１】
広告条件取得部２２０は、情報入力装置１０の広告条件入力部１１０により入力された広告条件を取得するものである。対象装置決定部２３０は、広告条件取得部２２０が取得した広告条件に基づいて、商品広告を行う（タイムスケジュールの送信対象となる）１以上の電子ＰＯＰ装置４０を決定するものである。上記の通り、電子ＰＯＰサーバ２０は、図１に示した３台の電子ＰＯＰ装置４０以外にも、他店および他地域に設置された多数の電子ＰＯＰ装置４０を管理している。したがって、これら多数の電子ＰＯＰ装置４０の中から、「広告地域」、「広告店舗」、「広告期間」等の広告条件に基づいて、広告対象となる電子ＰＯＰ装置４０を決定する。さらに、対象装置決定部２３０は、広告条件に含まれる「商品カテゴリ」によっても、広告対象を制限する。例えば、対象装置決定部２３０は、広告条件に含まれる「商品カテゴリ」が「惣菜」の場合、商品広告を行うべき売場を「惣菜コーナー」と特定し、当該売場に分類される「電子ＰＯＰ装置Ａ」を、広告対象として決定する（図１参照）。
【００４２】
未登録情報通知部２４０は、タイムスケジュール記憶部３３０を参照し、各電子ＰＯＰ装置４０において、商品広告情報が未登録の分割表示エリアＡおよび広告時間帯に関する未登録情報を情報入力装置１０に通知するものである。本実施形態では、対象装置決定部２３０により広告対象として決定した電子ＰＯＰ装置４０の未登録情報を通知する（図８参照）。
【００４３】
広告費算出部２５０は、広告条件取得部２２０により取得した広告条件に基づいて、広告費を算出するものである。具体的には、「広告地域」、「広告店舗」、「広告期間」、「商品カテゴリ」、「表示サイズ（分割表示エリアＡの大きさ）」、「広告時間帯」、「クーポン発行（クーポン発行の有無）」等の広告条件をパラメータとした所定の算出アルゴリズムに基づいて、広告費を算出する。広告費通知部２６０は、広告費算出部２５０で算出した広告費を情報入力装置１０に通知するものである（図９（ａ）参照）。
【００４４】
入金確認部２７０は、広告費通知部２６０による広告費の通知後、情報入力装置１０からの広告費の入金を確認するものである。本実施形態では、クレジットカード情報の入力（図９（ａ）参照）と、その認証結果の取得（クレジットカード認証サーバ（図示省略）から取得する）とによって、広告費の入金を確認する。
【００４５】
商品広告映像ファイル記憶部２８０は、複数の商品広告映像ファイルを記憶している。当該商品広告映像ファイル記憶部２８０には、情報入力装置１０から取得した各商品広告映像ファイル（音声情報も含む）を、それぞれ所定のＵＲＬ（Uniform Resource Locator）に記憶している。商品広告映像ファイル送信部２９０は、電子ＰＯＰ装置４０からの送信要求（ＵＲＬの指定）に応じて、商品広告映像ファイル記憶部２８０から該当する商品広告映像ファイルを読出し、電子ＰＯＰ装置４０に送信する。
【００４６】
タイムスケジュール生成部３１０は、対象装置決定部２３０により広告対象として決定した電子ＰＯＰ装置４０に商品広告情報を表示するためのタイムスケジュールを生成するものである。なお、タイムスケジュールの生成は、入金確認部２７０により入金を確認した後、開始する。また、タイムスケジュール生成部３１０は、分割パターン設定部２１０により予め設定された分割パターンに基づいて（分割パターンとなるように）、タイムスケジュールを生成する。
【００４７】
図５は、タイムスケジュールの一例を示す図である。図５に示すように、タイムスケジュールは、広告時間帯別に、枠番号（分割表示エリアＡの位置）と、商品広告映像ファイルのＵＲＬと、クーポン印刷ファイルのＵＲＬ（後述する）と、を関連付けて記憶したテーブルである。同図の例は、広告時間帯「８：００〜１０：００」が、４分割パターンに設定され、広告時間帯「１０：００〜１２：００」が、６分割パターンに設定された場合を示している。このタイムスケジュールは、対象装置決定部２３０により決定された１以上の電子ＰＯＰ装置４０に対して、電子ＰＯＰ装置４０ごとに生成される。
【００４８】
タイムスケジュール送信部３２０は、タイムスケジュール生成部３１０により生成したタイムスケジュールを、該当する電子ＰＯＰ装置４０に送信する。なお、送信タイミングは、タイムスケジュール生成部３１０による生成終了直後であっても良いし、電子ＰＯＰ装置４０から送信要求があったときでも良い。タイムスケジュール記憶部３３０は、タイムスケジュール生成部３１０により生成された全ての電子ＰＯＰ装置４０のタイムスケジュールを記憶するデータベースである。
【００４９】
クーポン印刷ファイル記憶部３４０は、クーポンＣを発行するための複数のクーポン印刷ファイルを記憶している。当該クーポン印刷ファイル記憶部３４０には、情報入力装置１０から取得した各クーポン印刷ファイルを、それぞれ所定のＵＲＬ（Uniform Resource Locator）に記憶している。クーポン印刷ファイル送信部３５０は、電子ＰＯＰ装置４０からの送信要求（ＵＲＬの指定）に応じて、クーポン印刷ファイル記憶部３４０から該当するクーポン印刷ファイルを読出し、電子ＰＯＰ装置４０に送信する。
【００５０】
続いて、電子ＰＯＰ装置４０の機能構成を説明する。電子ＰＯＰ装置４０は、商品広告映像ファイル受信部４１０、タイムスケジュール受信部４２０、表示制御部４３０、表示部４４０、クーポン印刷ファイル受信部４５０およびクーポン発行部４６０を備えている。
【００５１】
商品広告映像ファイル受信部４１０は、商品広告映像ファイル送信部２９０から送信された商品広告映像ファイルを、通信部５４を介して受信するものである。また、タイムスケジュール受信部４２０は、タイムスケジュール送信部３２０から送信されたタイムスケジュールを、通信部５４を介して受信するものである。なお、商品広告映像ファイル受信部４１０は、タイムスケジュールにしたがい、その広告時間帯の前に送信要求を出して、商品広告映像ファイルを受信するものとする。また、タイムスケジュール受信部４２０は、電子ＰＯＰ装置４０によるタイムスケジュール生成終了直後にタイムスケジュールを受信するものとする。
【００５２】
表示制御部４３０は、タイムスケジュール受信部４２０により受信したタイムスケジュールにしたがって、表示部４４０の表示制御を行うものである。表示部４４０は、ディスプレイ４１によってその主要部が構成され、表示制御部４３０は、ＣＰＵ５１によってその主要部が構成される。表示制御部４３０は、例えば、図５に示すタイムスケジュールを受信した場合、広告時間帯「８：００〜１０：００」の間は、表示部４４０を４分割パターンに分割し（図８の分割表示パターン表示欄７２の（２）参照）、枠番号１（４つの分割表示エリアＡのうち左上）には、所定のＵＲＬ（http：//***/***/D001）から読み出した商品広告映像ファイルに基づく映像（商品広告情報）を表示する。同様に、枠番号２、３および４についても、タイムスケジュールに記述された各ＵＲＬの商品広告映像ファイルに基づく映像を表示する。なお、未登録の分割表示エリアＡ（広告枠）が存在する場合は、予め電子ＰＯＰ装置４０内に記憶されている情報（イベント情報や休店日などの店舗情報）を表示する。
【００５３】
クーポン印刷ファイル受信部４５０は、クーポン印刷ファイル送信部３５０から送信されたクーポン印刷ファイルを、通信部５４を介して受信するものである。また、クーポン発行部４６０は、クーポン印刷ファイル受信部４５０が受信したクーポン印刷ファイルを、顧客のタッチパネル操作に基づいて印刷・発行するものである。
【００５４】
クーポン発行部４６０は、印刷部４５によってその主要部が構成される。クーポン発行部４６０は、例えば、図５に示すタイムスケジュールを受信した場合、広告時間帯「８：００〜１０：００」の間、タッチパネル４２の枠番号１に相当するエリアがタッチされると、所定のＵＲＬ（http：//***/***/P001）から読み出したクーポン印刷ファイルをレシート用紙に印刷する。また、枠番号２、３および４については、タイムスケジュール上にクーポン印刷ファイルのＵＲＬが記述されていない（クーポンＣ発行が指定されていない）ため、広告時間帯「８：００〜１０：００」に、各枠番号に相当するエリアがタッチされてもクーポンＣを発行しない。
【００５５】
なお、電子ＰＯＰ装置４０は、クーポン発行部４６０によるクーポン発行枚数などの情報を電子ＰＯＰサーバ２０に通知することが好ましい。この構成によれば、その商品広告情報がどの程度の反響（広告効果）があったかを知るための指標とすることができる。
【００５６】
次に、図６は、商品広告システムの一連の流れを示すフローチャートであり、図６を参照し、商品広告システムＳＹの一連の流れを説明する。情報入力装置１０に広告条件が入力されると（Ｓ０１）、電子ＰＯＰサーバ２０は、これを取得し（Ｓ０２）。タイムスケジュール記憶部３３０を参照して、情報入力装置１０に未登録情報を通知する（Ｓ０３）。情報入力装置１０は、当該未登録情報をディスプレイ１２上に表示して確認し（Ｓ０４）、広告条件を確定する（Ｓ０５）。なお、未登録情報の通知および確認は必須ではなく、広告条件の入力後、直接広告条件を確定しても良い。
【００５７】
電子ＰＯＰサーバ２０は、確定された広告条件に基づいて、広告費を算出し（Ｓ０６）、これを情報入力装置１０に通知する（Ｓ０７）。情報入力装置１０は、当該広告費をディスプレイ１２上に表示して確認し（Ｓ０８）、入金情報を入力する（Ｓ０９）。電子ＰＯＰサーバ２０は、入金情報の取得、およびクレジットカードの認証結果の取得によって入金を確認する（Ｓ１０）。電子ＰＯＰサーバ２０は、この入金確認をトリガとして、タイムスケジュールを生成し（Ｓ１１）、これを該当する電子ＰＯＰ装置４０に送信する（Ｓ１２）。
【００５８】
電子ＰＯＰ装置４０は、電子ＰＯＰサーバ２０から送信されたタイムスケジュールを受信し（Ｓ１３）、ＲＡＭ５３内の所定領域に格納しておく。そして、広告時間帯の切り替えタイミングか否かを判別し（Ｓ１４）、広告時間帯の切り替えタイミングとなった場合は（Ｓ１４：Ｙｅｓ）、商品広告映像ファイルおよびクーポン印刷ファイルの送信要求を出して、これらを受信し（Ｓ１５）、それぞれをＲＡＭ５３内の所定領域に格納しておく。なお、Ｓ１４における「広告時間帯の切り替えタイミング」には、最初の広告開始時刻（本実施形態では「８：００」，図５参照）も含まれる。また、電子ＰＯＰ装置４０の電源投入時に、最初の広告時間帯の商品広告映像ファイルおよびクーポン印刷ファイルの送信要求を出すようにしても良い。
【００５９】
その後、電子ＰＯＰ装置４０は、タイムスケジュールにしたがって、ディスプレイ４１上に、商品広告映像ファイルに基づく商品広告情報を表示する（Ｓ１６）。なお、特に図示しないが、商品広告情報の表示と共に、当該商品広告情報に対応する音声情報を出力する。また、タッチパネル４２が操作され、その操作位置が属する分割表示エリアＡに対応するクーポン印刷ファイルが存在する場合は、クーポンＣを発行する。
【００６０】
次に、図７ないし図９を参照し、情報入力装置１０における電子ＰＯＰ広告の申込み操作について説明する。図７は、電子ＰＯＰ広告申込み入力フォームのトップ画面の一例を示す図、図８は、未登録情報画面の一例を示す図、図９は、支払い画面および受付完了画面の一例を示す図である。また、図７ないし図９により、電子ＰＯＰサーバ２０が提供する入力フォームの一例を示している。図７は、入力フォームのトップ画面Ｄ１を示している。トップ画面Ｄ１は、依頼者情報入力欄６１、広告条件入力欄６２および添付データ入力欄６３を有している。
【００６１】
依頼者情報入力欄６１は、商品広告を依頼（提供）するメーカ等の「会社名または氏名」、「住所」、「電話番号」および「Ｅメールアドレス」の項目について入力可能となっている。また、広告条件入力欄６２は、商品広告を行う「広告地域」、「広告店舗」、「広告期間」、「商品カテゴリ」、「表示サイズ」、「広告時間帯」および「クーポン発行」の項目について入力可能となっている。
【００６２】
「広告地域」としては、複数の都市名候補の中からいずれか１の候補が選択される。また、「広告店舗」としては、「広告地域」として選択された都市に存在する複数の店舗の店舗名を候補として表示し、それらの中からいずれか１の候補が選択される。また、「広告期間」としては、例えば１週間単位など、所定期間ごとに区切られた複数の広告期間候補の中からいずれか１の候補が選択される。また、「商品カテゴリ」としては、「惣菜」、「生鮮食品」、「生活雑貨」など複数の商品カテゴリの中からいずれか１の候補が選択される。また、「表示サイズ」としては、分割表示エリアＡの大きさを、「全面」、「４／９〜１／２面」、「１／４面」、「１／９〜１／８面」の４つの候補の中からいずれか１の候補が選択される。例えば、顧客（依頼者）により「４／９〜１／２面」が選択された場合、図８に示した分割表示パターン表示欄７２の（１）の場合は、４／９面サイズのエリア（枠番号１）が該当し、分割表示パターン表示欄７２の（２）の場合は、「４／９〜１／２面」の画面サイズが存在しないため、電子ＰＯＰ広告の申込みが不成立となる。このように、顧客が希望する広告時間帯に分割表示パターン表示欄７２の（２）を設定している場合であって、顧客が希望する表示サイズとして「４／９〜１／２面」を選択した場合は、「該当エリアなし」として、情報入力装置１０に対し、広告条件の変更を促す。
【００６３】
また、「広告時間帯」としては、「８：００〜１０：００」、「１０：００〜１２：００」など、８：００〜２０：００を２時間単位で区切った６つの候補の中からいずれか１の候補が選択される。また、「クーポン発行」としては、クーポン発行を必要とするか否かについて選択される。ここで、「クーポン発行」が「必要」と選択された場合、当該申込みに基づく商品広告情報が電子ＰＯＰ装置４０に表示され、その商品広告情報を表示する分割表示エリアＡがタッチされると、クーポンＣを発行する。したがって、この場合、添付データ入力欄６３において、クーポン印刷ファイルの指定またはクーポン印刷テキストの入力が必要となる。
【００６４】
なお、「表示サイズ」および「広告時間帯」の項目については、「未登録情報表示」ボタン６４の押下によって、詳細な設定が可能となっている。具体的な内容については、図８を参照して後述する。
【００６５】
添付データ入力欄６３は、「商品広告映像ファイル」および「クーポン印刷ファイル」の指定、または「商品広告映像テキスト」および「クーポン印刷テキスト」の入力が可能となっている。つまり、商品広告関係については、商品広告情報として、添付した映像ファイルを表示させるか、トップ画面Ｄ１で入力したテキスト情報を表示させるかを選択可能となっている。クーポン関係についても同様である。
【００６６】
顧客により、トップ画面Ｄ１に表示した必要項目が入力された後、「キャンセル」ボタン６６が押下された場合は、電子ＰＯＰ広告の申込みを中止する。また、「確認」ボタン６７が押下された場合は、広告条件が確定したものと看做して、図９（ａ）に示す支払い画面Ｄ３に遷移する。
【００６７】
ここで、図８を参照し、上記の「未登録情報表示」ボタン６４が押下された場合に遷移する未登録情報画面Ｄ２について説明する。未登録情報画面Ｄ２は、顧客による指定内容と、予め設定されている分割表示パターンと、タイムスケジュール記憶部３３０の記憶内容と、に基づいて生成される画面であり、指定内容表示欄７１、分割表示パターン表示欄７２および広告枠選択欄７３を有している。
【００６８】
指定内容表示欄７１には、広告条件入力欄６２で入力された「広告地域」、「広告店舗」、「広告期間」および「商品カテゴリ」の項目を表示する。なお、これら全てについて入力されている必要はなく、いずれか１以上の項目が入力されていれば良い。ここでは、上記の全ての項目が入力され、それらの入力内容をａｎｄ条件とする未登録情報を、広告枠選択欄７３に表示するものとする。また、「商品カテゴリ」としては、「惣菜」が入力されたものとする。但し、図８の広告枠選択欄７３には、未登録情報の一部のみが表示されている。すなわち、同図の例は、未登録情報が２つの画面に分割して表示され、その最初の画面を表示した場合を示している（「未登録情報１／２」の表題７０参照）。
【００６９】
分割表示パターン表示欄７２は、電子ＰＯＰサーバ２０において、予め商品カテゴリごと且つ広告時間帯ごとに設定されている分割表示パターンを表示する。ここでは、「商品カテゴリ：惣菜」について、広告時間帯ごとに設定されている分割表示パターンを表示している。
【００７０】
広告枠選択欄７３は、広告対象となる電子ＰＯＰ装置４０（ここでは、Ａａ〜Ａｃの３台）について、タイムスケジュールに組み込まれていない未登録の分割表示エリアＡ（空き枠）を、広告時間帯ごと且つ分割表示エリアＡごとに表示している。ここでは、「商品カテゴリ：惣菜」が指定されているため、惣菜コーナーに設置される複数の電子ＰＯＰ装置４０のうち、３台分（Ａａ〜Ａｃ）の空き枠を表示している。例えば、「電子ＰＯＰ  Ａａ」については、８：００〜１２：００および１６：００〜２０：００の間、全ての枠が埋まっていて、その広告時間帯の選択は不可能（電子ＰＯＰ広告の申込みはできない）となっている。また、その他の広告時間帯については、全ての枠が選択可能となっている。つまり、○印が付された枠が選択可能であり、当該○印を１つずつ選択していくことで、枠指定（これにより、分割表示エリアＡのサイズも決まる）が可能となっている。なお、枠番号（「１」、「２」など）を選択することで、その枠番号に属する３台分（Ａａ〜Ａｃ）の空き枠を同時に指定することも可能である。
【００７１】
広告枠選択欄７３で選択された後、「戻る」ボタン７５が押下された場合は、トップ画面Ｄ１に遷移する。また、「次画面」ボタン７６が押下された場合は、次画面（「未登録情報２／２」の画面，図示省略）に遷移する。
【００７２】
図９（ａ）は、広告条件が確定された後、遷移する支払い画面Ｄ３の一例を示す図である。支払い画面Ｄ３は、広告費表示欄８１および入金情報入力欄８２を有している。広告費表示欄８１は、広告費算出部２５０（図４参照）で算出した広告費を表示する。また、入金情報入力欄８２は、「クレジットカード番号」、「有効期限」および「支払い回数」の項目について入力可能となっている。
【００７３】
支払い画面Ｄ３において、入金情報入力欄８２の項目が入力された後、「戻る」ボタン８３が押下された場合は、トップ画面Ｄ１に遷移する。また、「確認」ボタン８４が押下された場合は、図９（ｂ）に示す受付完了画面Ｄ４に遷移する。
【００７４】
受付完了画面Ｄ４は、受付番号表示欄８５および「タイムスケジュール確認」ボタン８６を有している。受付番号表示欄８５は、電子ＰＯＰ広告の申込みに対する受付番号を表示している。また、「タイムスケジュール確認」ボタン８６が押下されると、申込み内容として、上記の入力フォームで入力した情報に基づくタイムスケジュールを表示する。なお、当該受付完了画面Ｄ４の表示によって、電子ＰＯＰ広告の申込み完了となる。また、顧客により「閉じる」ボタン８７が押下されると、受付完了画面Ｄ４を閉じる。
【００７５】
以上説明したとおり、本実施形態によれば、電子ＰＯＰ装置４０は、ディスプレイ４１を所定の分割パターンに応じて分割した複数の分割表示エリアＡを有しているため、同時に複数の商品広告情報を表示することができ、顧客を飽きさせることがない。また、店舗側にとっては、電子ＰＯＰ装置４０を複数台設置する必要がないため、設置スペースの問題を解消できる。さらに、広告を提供するメーカ（顧客）は、情報入力装置１０により、インターネット等のネットワークＮＴを介して、商品広告情報を表示する広告時間帯や分割表示エリアの大きさなどの広告条件を入力することができる。これにより、メーカが所望する広告時間帯且つ表示エリアサイズで、手軽に商品広告を実現することができる。
【００７６】
また、電子ＰＯＰサーバ２０は、情報入力装置１０が入力した広告条件に基づいて広告費を算出し、情報入力装置１０に対して当該広告費の課金を行う。これにより、電子ＰＯＰ広告の申込みから広告費の支払、電子ＰＯＰ広告の実施までの一連の処理を、人の手を介さずに行うことができる。すなわち、商品広告を行う顧客、電子ＰＯＰサーバ２０を運営するプロバイダ、電子ＰＯＰ装置４０を設置する店舗の全てにおいて、メリットが高いビジネスモデルを実現できる。
【００７７】
なお、上記の実施形態では、未登録の分割表示エリアＡ（空き枠）が存在する場合は、予め電子ＰＯＰ装置４０内に記憶されている店舗情報を表示するものとしたが、電子ＰＯＰサーバ２０の商品広告映像ファイル記憶部２８０に複数種類の未登録枠用映像ファイルを用意しておき、タイムスケジュール生成部３１０により、未登録の分割表示エリアＡに対して適宜（同じ未登録枠用映像ファイルが同時に表示されることがないように）、未登録枠用映像ファイルを組み込むようにしても良い。
【００７８】
また、上記の実施形態では、広告費の支払い方法として、クレジットカードによる支払方法のみを記載したが、口座振替や電子マネーによる支払いなど、複数の支払方法の中からいずれかを選択できるようにしても良い。但し、これら口座振替や電子マネーによる支払いが行われた場合も、タイムスケジュール生成部３１０は、入金の確認後に、タイムスケジュールを生成することが好ましい。
【００７９】
また、上記の実施形態に示した商品広告システムＳＹ（情報入力装置１０、電子ＰＯＰサーバ２０および電子ＰＯＰ装置４０）の各構成要素をプログラムとして提供することが可能である。また、そのプログラムを各種記録媒体（ＣＤ−ＲＯＭ、フラッシュメモリ等）に格納して提供することも可能である。すなわち、コンピュータを、商品広告システムＳＹの各手段として機能させるためのプログラム、およびそれを記録した記録媒体も、本発明の権利範囲に含まれる。
【００８０】
その他、商品広告システムＳＹに介在する業者、システム構成、処理工程等について、本発明の要旨を逸脱しない範囲で、適宜変更が可能である。
【図面の簡単な説明】
【００８１】
【図１】本発明の一実施形態に係る商品広告システムのシステム構成図である。
【図２】電子ＰＯＰ装置の外観斜視図である。
【図３】電子ＰＯＰ装置の制御ブロック図である。
【図４】商品広告システムの機能ブロック図である。
【図５】タイムスケジュールの一例を示す図である。
【図６】商品広告システムの一連の流れを示すフローチャートである。
【図７】電子ＰＯＰ広告申込み入力フォームのトップ画面の一例を示す図である。
【図８】未登録情報画面の一例を示す図である。
【図９】支払い画面および受付完了画面の一例を示す図である。
【符号の説明】
【００８２】
１０…情報入力装置  ２０…電子ＰＯＰサーバ  ３０…店舗サーバ  ４０…電子ＰＯＰ装置  ４１…ディスプレイ  ４２…タッチパネル  ４３…設定ボタン  ４４…スピーカ  ４５…印刷部  Ａ（Ａ１〜Ａ６）…分割表示エリア  Ｃ…クーポン  ＳＹ…商品広告システム
【図１】
2009229823.tif 000003
【図２】
2009229823.tif 000004
【図３】
2009229823.tif 000005
【図４】
2009229823.tif 000006
【図５】
2009229823.tif 000007
【図６】
2009229823.tif 000008
【図７】
2009229823.tif 000009
【図８】
2009229823.tif 000010
【図９】
2009229823.tif 000011